(57)【要約】【課題】  ＬＥＤ等の光照射を受光して発光する透明又は色付きのサインボードにおいて、幻想的で温かみのある自然的な雰囲気を立体的に感じることが出来る発光サインボード製品を提供する。【解決手段】  発光サインボードの少なくとも片側に、導光板及び若しくは偏光板を回動若しくは揺動可能に配設すると共に、発光サインボード外周の輪郭枠を自然木などの天然部材で構成し、更に、該サインボード裏側に押し花などの天然素材を配したボードを取付けて、光源からの光を効果的に発光サインボードと、サインボード外周の天然部材輪郭枠と、サインボード裏に配した押し花などの天然素材を照明して、押し花などが見えたり見えなくなったり、幻想的で温かく自然的な雰囲気を立体的で遠近的に感じるように構成されている。【選択図】図１
0003121795.tif 000002
【実用新案登録請求の範囲】
【請求項１】
ＬＥＤ等の光照射を受光して発光する透明又は色付きのサインボードにおいて、前記サインボードの少なくとも片側に、導光板及び又は偏光板を配設したことを特徴とする発光サインボード。
【請求項２】
ＬＥＤ等の光照射を受光して発光する透明又は色付きのサインボードにおいて、
上記サインボード外周の輪郭枠を自然木などの天然部材で構成したことを特徴とする発光サインボード。
【請求項３】
上記サインボードの他側に落ち葉などの天然素材及び又は折り紙などの天然加工材を配設したことを特徴とする請求項２に記載の発光サインボード。
【請求項４】
上記導光板及び又は偏光板を回動若しくは揺動可能に配設したことを特徴とする請求項１から請求項３に記載の発光サインボード。
【考案の詳細な説明】
【技術分野】
【０００１】    本考案は，ＬＥＤ等の光照射を受光して発光する透明又は色付きの発光サインボードに関する。
【技術背景】
【０００２】本考案者が先に考案した実用新案登録第３１１０４７５号の登録公報に記載の受光式発光サインボードは、図示を省略するが、ＬＥＤ等の光を受けて発光するサインボードに文字や絵柄等の各表示部分の輪郭枠内に受光用斜め角度の切り込みラインを複数本全体に入れたので光源からの光を効率的に受光して鮮明に発光させると共に、サインボード全体にムラなく光が届くように構成されている。
【考案の開示】
【考案が解決しようとする課題】
【０００３】
【０００４】  ところが、先に考案した受光式発光サインボードは、光源からの光を効率的に受光して鮮明に発光させることにより、サインボード全体にムラなく光が届くようにはなったが、ガラス板やアクリル板で発光サインボードが構成されているために、人工的で冷たい感じがするとの顧客からの評価があった。そこで、本考案者らは、ＬＥＤ等の光照射を受光して発光する透明又は色付きのサインボードにおいて、温かみのある自然的な雰囲気のみならず、幻想的で立体感も感じることが出来る発光サインボードを考案した。
【課題を解決するための手段】
【０００５】本考案の請求項１に係るＬＥＤ等の光照射を受光して発光する透明又は色付きの発光サインボードは、前記サインボードの少なくとも片側に、導光板及び又は偏光板を配設したことにより、幻想的で立体感も感じることが出来た。【０００６】  本考案の請求項２に係る考案は、上記サインボード外周の輪郭枠を自然木などの天然部材で構成したことにより、温かみのある自然的な雰囲気も感じることが出来た。
本考案の請求項３に係る考案は、請求項２に記載のサインボードに、更にサインボードの他側に落ち葉などの天然素材及び又は折り紙などの天然加工材を配設して、より一層温かみのある自然的な雰囲気も感じることが出来た。【０００７】  本考案の請求項４に係る考案は、上記導光板及び又は偏光板を回動若しくは揺動可能に配設したことにより、請求項２と請求項３の効果に加えてＬＥＤ等の光を受けて発光するサインボードに表示した文字や絵柄が見え隠れして、遠近的に見えて、幻想的で立体感を感じることが出来た。
【考案の効果】
【０００８】  発光サインボードの少なくとも片側に、導光板及び若しくは偏光板を配設すると共に、発光サインボード外周の輪郭枠を自然木などの天然部材で構成すると共に、サインボード裏側に押し花などの天然素材を配したボードを取付けて、光源からの光を効果的に発光サインボードと、サインボード外周の天然部材輪郭枠と、サインボード裏に配した押し花などの天然素材を照明して幻想的で、より一層温かく自然的な雰囲気を立体的に感じるようになった。更に導光板及び又は偏光板を回動若しくは揺動させることにより、ＬＥＤ等の光を受けて発光するサインボードに表示した文字や絵柄が、偏光板を回動若しくは揺動させると、見えたり見えなくなったり、遠近的に見えて、更に、幻想的で立体感を感じる。
【考案を実施するための最良の形態】
【実施例】
【０００９】  本考案に係る考案の具体的な実施例について以下説明する。図１は、発光サインボード示す正面図で，図２は図１の水平横断面である。  図１に図示する発光サインボードは、導光板（偏光板）１と、ガラス板２と、太陽の絵柄を彫り込んだアクリル板の発光板３とを、発光サインボード外周の自然木４の輪郭枠に取付け、更に発光サインボードの裏側には、落ち葉などの天然素材（天然加工材）を配した貼付板５を介して一体的に構成されている。  なお、本実施例では、導光板（偏光板）１を発光サインボードの片側のみに配置したが、両側に配置しても良い。  また、図２に図示するように、発光板３に近接してＬＥＤ６ａが自然木４の輪郭枠に埋め込まれ、ＬＥＤ６ａは、ＬＥＤとの接続配線６ｂを介して図示省略の発光用の電源に接続されている。【００１０】  なお、上記サインボード外周の輪郭枠に用いる天然部材としては、自然木材、化石木、粘土、籐、自然石を用いることが可能で、必要によってはこれらを少なくとも１つ以上、組合せて構成しても良い。
更に、上記サインボード裏側に配置する天然素材や天然加工材としては，ドライフラワー、薬草、山野草、花木、押し花、押し葉、落ち葉、昆虫、海産物、海藻、貝殻、砂、鉱物片、花、花びら、折り紙、切絵、自然石、木片、化石、粘土細工、皮細工、籐細工、ビーズ、ガラス、糸布、繭、魚介、おもちゃ、人形、お菓子、水槽など、各種展示イベントや、各店舗のショウウインドーの店頭表示／案内ニーズに応じてこれらを組合せて構成する。【００１１】  本実施例では、導光板（偏光板）１を手動で約３０℃回動したところ、発光板３（アクリル板）に彫り込んだ文字や絵柄が見えなくなり、更に導光板（偏光板）１を回動させたら再び文字や絵柄が見えるようになった。  回動手段としてはサーボモーターや歯車、リンク機構など機械的や電気的な各種手段を用いることも出来る。【００１２】更に、導光板（偏光板）１を手で揺動させたところ、発光板３（アクリル板）に彫り込んだ文字や絵柄が立体的に大きく見えたり小さく見えたりした。揺動手段としてはサーボモーターやリンク機構など機械的や電磁石など電気的な各種手段に加えて風を当て揺動させることも出来る。
【産業上の利用可能性】
【００１３】
【００１４】本考案の産業上の利用可能性としては、各種展示イベントやイルミメーション、ショウウインドーの店頭表示／案内板や広告表示塔等にも適用できる。
【図面の簡単な説明】
【００１５】
【図１】発光サインボード示す正面図
【図２】図１の水平横断面
【符号の説明】
【００１６】１・・・・・・導光板若しくは偏光板
２・・・・・・ガラス板（仕切板）
３・・・・・・発光板（文字や絵柄を彫り込んだアクリル板）
４・・・・・・自然木（天然部材）
５・・・・・・落ち葉などの天然素材（天然加工材）の貼付板
６ａ・・・・・ＬＥＤ
６ｂ・・・・・ＬＥＤとの接続配線
【図１】
0003121795.tif 000003
【図２】
0003121795.tif 000004
【手続補正書】
【提出日】平成18年2月24日(2006.2.24)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤ等の光照射を受光して発光する透明又は色付きのサインボードにおいて、
上記サインボード外周の輪郭枠を自然木などの天然部材で構成したことを特徴とする発光サインボード。
【請求項２】
ＬＥＤ等の光照射を受光して発光する透明又は色付きのサインボードにおいて、前記サインボードの少なくとも片側に、導光板及び又は偏光板を配設したことを特徴とする請求項１に記載の発光サインボード。
【請求項３】
上記サインボードの他側に落ち葉などの天然素材及び又は折り紙などの天然加工材を配設したことを特徴とする請求項２に記載の発光サインボード。
【請求項４】
上記導光板及び又は偏光板を回動若しくは揺動可能に配設したことを特徴とする請求項２から請求項３に記載の発光サインボード。
【手続補正３】
【補正対象書類名】明細書
【補正対象項目名】全文
【補正方法】変更
【補正の内容】
【考案の詳細な説明】
【技術分野】
【０００１】    本考案は，ＬＥＤ等の光照射を受光して発光する透明又は色付きの発光サインボードに関する。
【技術背景】
【０００２】本考案者が先に考案した実用新案登録第３１１０４７５号の登録公報に記載の受光式発光サインボードは、図示を省略するが、ＬＥＤ等の光を受けて発光するサインボードに文字や絵柄等の各表示部分の輪郭枠内に受光用斜め角度の切り込みラインを複数本全体に入れたので光源からの光を効率的に受光して鮮明に発光させると共に、サインボード全体にムラなく光が届くように構成されている。
【考案の開示】
【考案が解決しようとする課題】
【０００３】
【０００４】  ところが、先に考案した受光式発光サインボードは、光源からの光を効率的に受光して鮮明に発光させることにより、サインボード全体にムラなく光が届くようにはなったが、ガラス板やアクリル板で発光サインボードが構成されているために、人工的で冷たい感じがするとの顧客からの評価があった。そこで、本考案者らは、ＬＥＤ等の光照射を受光して発光する透明又は色付きのサインボードにおいて、温かみのある自然的な雰囲気のみならず、幻想的で立体感も感じることが出来る発光サインボードを考案した。
【課題を解決するための手段】
【０００５】  本考案の請求項１に係る考案は、上記サインボード外周の輪郭枠を自然木などの天然部材で構成したことにより、温かみのある自然的な雰囲気も感じることが出来た。【０００６】本考案の請求項２に係るＬＥＤ等の光照射を受光して発光する透明又は色付きの発光サインボードは、請求項１に記載のサインボードに、更に前記サインボードの少なくとも片側に、導光板及び又は偏光板を配設したことにより、幻想的で立体感も感じることが出来た。
本考案の請求項３に係る考案は、請求項２に記載のサインボードに、更にサインボードの他側に落ち葉などの天然素材及び又は折り紙などの天然加工材を配設して、より一層温かみのある自然的な雰囲気も感じることが出来た。【０００７】  本考案の請求項４に係る考案は、上記導光板及び又は偏光板を回動若しくは揺動可能に配設したことにより、請求項２と請求項３の効果に加えてＬＥＤ等の光を受けて発光するサインボードに表示した文字や絵柄が見え隠れして、遠近的に見えて、幻想的で立体感を感じることが出来た。
【考案の効果】
【０００８】  発光サインボードの少なくとも片側に、導光板及び若しくは偏光板を配設すると共に、発光サインボード外周の輪郭枠を自然木などの天然部材で構成すると共に、サインボード裏側に押し花などの天然素材を配したボードを取付けて、光源からの光を効果的に発光サインボードと、サインボード外周の天然部材輪郭枠と、サインボード裏に配した押し花などの天然素材を照明して幻想的で、より一層温かく自然的な雰囲気を立体的に感じるようになった。更に導光板及び又は偏光板を回動若しくは揺動させることにより、ＬＥＤ等の光を受けて発光するサインボードに表示した文字や絵柄が、偏光板を回動若しくは揺動させると、見えたり見えなくなったり、遠近的に見えて、更に、幻想的で立体感を感じる。
【考案を実施するための最良の形態】
【実施例】
【０００９】  本考案に係る考案の具体的な実施例について以下説明する。図１は、発光サインボード示す正面図で，図２は図１の水平横断面である。  図１に図示する発光サインボードは、導光板（偏光板）１と、ガラス板２と、太陽の絵柄を彫り込んだアクリル板の発光板３とを、発光サインボード外周の自然木４の輪郭枠に取付け、更に発光サインボードの裏側には、落ち葉などの天然素材（天然加工材）を配した貼付板５を介して一体的に構成されている。
なお、本実施例では、導光板（偏光板）１を発光サインボードの片側のみに配置したが、両側に配置しても良い。  また、図２に図示するように、発光板３に近接してＬＥＤ６ａが自然木４の輪郭枠に埋め込まれ、ＬＥＤ６ａは、ＬＥＤとの接続配線６ｂを介して図示省略の発光用の電源に接続されている。【００１０】  なお、上記サインボード外周の輪郭枠に用いる天然部材としては、自然木材、化石木、粘土、籐、自然石を用いることが可能で、必要によってはこれらを少なくとも１つ以上、組合せて構成しても良い。
更に、上記サインボード裏側に配置する天然素材や天然加工材としては，ドライフラワー、薬草、山野草、花木、押し花、押し葉、落ち葉、昆虫、海産物、海藻、貝殻、砂、鉱物片、花、花びら、折り紙、切絵、自然石、木片、化石、粘土細工、皮細工、籐細工、ビーズ、ガラス、糸布、繭、魚介、おもちゃ、人形、お菓子、水槽など、各種展示イベントや、各店舗のショウウインドーの店頭表示／案内ニーズに応じてこれらを組合せて構成する。【００１１】  本実施例では、導光板（偏光板）１を手動で約３０℃回動したところ、発光板３（アクリル板）に彫り込んだ文字や絵柄が見えなくなり、更に導光板（偏光板）１を回動させたら再び文字や絵柄が見えるようになった。回動手段としてはサーボモーターや歯車、リンク機構など機械的や電気的な各種手段を用いることも出来る。【００１２】更に、導光板（偏光板）１を手で揺動させたところ、発光板３（アクリル板）に彫り込んだ文字や絵柄が立体的に大きく見えたり小さく見えたりした。揺動手段としてはサーボモーターやリンク機構など機械的や電磁石など電気的な各種手段に加えて風を当て揺動させることも出来る。
【産業上の利用可能性】
【００１３】
【００１４】本考案の産業上の利用可能性としては、各種展示イベントやイルミメーション、ショウウインドーの店頭表示／案内板や広告表示塔等にも適用できる。
【図面の簡単な説明】
【００１５】
【図１】発光サインボード示す正面図
【図２】図１の水平横断面
【符号の説明】
【００１６】１・・・・・・導光板若しくは偏光板
２・・・・・・ガラス板（仕切板）
３・・・・・・発光板（文字や絵柄を彫り込んだアクリル板）
４・・・・・・自然木（天然部材）
５・・・・・・落ち葉などの天然素材（天然加工材）の貼付板
６ａ・・・・・ＬＥＤ
６ｂ・・・・・ＬＥＤとの接続配線